(57)【要約】 【課題】  本発明は、文書データの作成、編集を行う操作部と、前記操作部の操作で作成された文書データを表示する表示手段と、前記文書データを印刷媒体に印刷する印刷手段と、前記表示手段の表示を、前記文書データ作成時の通常表示から、現在の文書データで印刷を行った場合の印刷結果を表示するプレビュー表示へと切り換える表示切換手段とを有する印刷装置に関し、前記プレビュー表示において、作成された文書データの書式を変更可能とした印刷装置を提供することを目的とする。【解決手段】  文字入力キー２の操作により作成された文書データを印字した場合の印字結果を液晶ディスプレイ７に表示したプレビュー画面６１に、カーソルキー５の操作により左右に移動可能なビューポイント６０を設け、ビューポイント６０の示す位置や文字に応じて、書式を変更に構成した。【選択図】  図５
2005271541.tif 000002
【特許請求の範囲】
【請求項１】
文書データの作成、編集を行う操作部と、
前記操作部の操作で作成された文書データを表示する表示手段と、
前記文書データを印刷媒体に印刷する印刷手段と、
前記表示手段の表示を、前記文書データ作成時の通常表示から、現在の文書データで印刷を行った場合の印刷結果を表示するプレビュー表示へと切り換える表示切換手段とを有する印刷装置において、
前記プレビュー表示時における移動自在なカーソルと、
前記プレビュー表示中のカーソルの位置にて、作成した文書データの書式を変更する書式変更手段を有することを特徴とする印刷装置。
【請求項２】
前記請求項１記載の印刷装置において、
前記書式変更手段は、前記カーソルの位置にて示される文書データの書体を変更可能とすることを特徴とする印刷装置。
【請求項３】
前記請求項１記載の印刷装置において、
前記書式変更手段は、前記カーソルの位置にて示される文書データの文字修飾態様を変更可能とすることを特徴とする印刷装置。
【請求項４】
前記請求項１記載の印刷装置において、
前記書式変更手段は、前記カーソルの位置が余白部分にある場合は、余白長を変更可能とすることを特徴とする印刷装置。
【請求項５】
前記請求項１記載の印刷装置において、
前記書式変更手段は、前記カーソルの位置にある文書データに、枠修飾がなされている場合には、枠修飾の種類を変更可能とすることを特徴とする印刷装置。
【請求項６】
前記請求項１乃至請求項５記載の印刷装置において、
前記表示手段は、複数画面にわたって文書データを表示可能であると共に、
前記操作手段の特殊操作により、前記カーソルを任意の表示位置に移動させるカーソル位置制御手段と、
前記カーソルが存在する画面に表示を切り替える表示制御手段を有することを特徴とする印刷装置。
【発明の詳細な説明】
【技術分野】
【０００１】
本発明は、文書データの作成、編集を行う操作部と、前記操作部の操作で作成された文書データを表示する表示手段と、前記文書データを印刷媒体に印刷する印刷手段と、前記表示手段の表示を、前記文書データ作成時の通常表示から、現在の文書データで印刷を行った場合の印刷結果を表示するプレビュー表示へと切り換える表示切換手段とを有する印刷装置に関し、前記プレビュー表示において、作成された文書データの書式を変更可能とした印刷装置に関するものである。
【背景技術】
【０００２】
従来、ワードプロセッサやテープ印字装置等の印刷装置において、文書データ作成時に設定した書体や文字サイズ等の書式に基づき作成された印刷イメージを表示画面に表示する、所謂、プレビュー表示機能を有する印刷装置がある。
このようなプレビュー表示機能を有する印刷装置に関する技術が、特許文献１に記載されている。特許文献１には、キーボードの操作により作成された印字データを、通常の態様で印刷するモードと、前記印字データの左右若しくは上下を逆転した鏡像文字として印刷するモードが実行可能であり、どちらのモードに対しても、印刷結果を表示手段にイメージ表示するプレビュー機能を有する印刷装置が記載されている。
【０００３】
【特許文献１】特開平６−２４２７６６号公報（図５参照）
【発明の開示】
【発明が解決しようとする課題】
【０００４】
特許文献１記載のテープ印字装置では、通常の印刷プレビューと、鏡像文字を印刷するミラーモードの印刷プレビューを実行することができる。しかし、この特許文献１記載のテープ印字装置におけるプレビュー表示は、通常状態のプレビュー表示及び鏡像文字の印刷モードのどちらについても、操作手段により作成された印字データの印刷結果を表示するのみである。
このため、プレビュー表示にて、現状の印字データにおける印字結果を確認した際に、印字データ作成時にユーザが想定していた態様とは異なる印字結果がプレビュー表示されていた場合には、一度、プレビュー表示モードから、通常の文書作成モードに切り替え、再び、文書データの編集を行わなければならなかった。
そして、特許文献１記載のプレビュー表示は、印字データを圧縮して全体表示するので、印刷レイアウトについては確認することができるが、文字修飾や書体などの細部については、プレビュー表示で印刷結果を確認することは困難となる。このため、ユーザによっては、プレビュー表示モードにおける印刷結果の確認、文書作成モードでの文書データの再編集といった作業を数回にわたって行わなければならなかった。
【０００５】
本発明は、上述した課題を鑑みてなされたものであり、文書データの作成、編集を行う操作部と、前記操作部の操作で作成された文書データを表示する表示手段と、前記文書データを印刷媒体に印刷する印刷手段と、前記表示手段の表示を、前記文書データ作成時の通常表示から、現在の文書データで印刷を行った場合の印刷結果を表示するプレビュー表示へと切り換える表示切換手段とを有する印刷装置に関し、特に、プレビュー表示中において、作成した文書データの書式を変更可能に構成した印刷装置を提供することを目的とする。
【課題を解決するための手段】
【０００６】
前記目的を達成するため請求項１に係る印刷装置は、文書データの作成、編集を行う操作部と、前記操作部の操作で作成された文書データを表示する表示手段と、前記文書データを印刷媒体に印刷する印刷手段と、前記表示手段の表示を、前記文書データ作成時の通常表示から、現在の文書データで印刷を行った場合の印刷結果を表示するプレビュー表示へと切り換える表示切換手段とを有する印刷装置において、前記プレビュー表示時における移動自在なカーソルと、前記プレビュー表示中のカーソルの位置にて、作成した文書データの書式を変更する書式変更手段を有することを特徴とする。
【０００７】
また、前記請求項２に係る印刷装置は、前記請求項１記載の印刷装置において、前記書式変更手段は、前記カーソルの位置にて示される文書データの書体を変更可能とすることを特徴とする。
【０００８】
そして、前記請求項３に係る印刷装置は、前記請求項１記載の印刷装置において、前記書式変更手段は、前記カーソルの位置にて示される文書データの文字修飾態様を変更可能とすることを特徴とする。
【０００９】
更に、前記請求項４に係る印刷装置は、前記請求項１記載の印刷装置において、前記書式変更手段は、前記カーソルの位置が余白部分にある場合は、余白長を変更可能とすることを特徴とする。
【００１０】
また、前記請求項５に係る印刷装置は、前記請求項１記載の印刷装置において、前記書式変更手段は、前記カーソルの位置にある文書データに、枠修飾がなされている場合には、枠修飾の種類を変更可能とすることを特徴とする。
【００１１】
更に、前記請求項６に係る印刷装置は、前記請求項１乃至請求項５記載の印刷装置において、前記表示手段は、複数画面にわたって文書データを表示可能であると共に、前記操作手段の特殊操作により、前記カーソルを任意の表示位置に移動させるカーソル位置制御手段と、前記カーソルが存在する画面に表示を切り替える表示制御手段を有することを特徴とする。
【発明の効果】
【００１２】
前記請求項１記載の印刷装置は、文書データの作成、編集を行う操作部と、前記操作部の操作で作成された文書データを表示する表示手段と、前記文書データを印刷媒体に印刷する印刷手段と、前記表示手段の表示を、前記文書データ作成時の通常表示から、現在の文書データで印刷を行った場合の印刷結果を表示するプレビュー表示へと切り換える表示切換手段とを有する印刷装置において、前記プレビュー表示時における移動自在なカーソルと、前記プレビュー表示中のカーソルの位置にて、作成した文書データの書式を変更する書式変更手段を有する。これにより、印刷装置のプレビュー表示において、現状の印字データにおける印字結果を確認した際に、印字データ作成時にユーザが想定していた態様とは異なる書式でプレビュー表示されていた場合には、文書データの編集が可能な通常表示状態に戻すことなく、煩雑な操作を行わずとも、ユーザ所望の書式で表現された印字結果となる印刷データに変更することができる。
【００１３】
また、前記請求項２記載の印刷装置は、前記書式変更手段は、前記カーソルの位置にて示される文書データの書体を変更可能に構成されるので、印刷装置のプレビュー表示において、現状の印字データにおける印字結果を確認した際に、印字データ作成時にユーザが想定していた書体とは異なる印字結果がプレビュー表示されていた場合には、文書データの編集が可能な通常表示状態に戻すことなく、ユーザ所望の書体で表現された印字結果となる印刷データに変更することができる。
【００１４】
そして、前記請求項３記載の印刷装置は、前記書式変更手段は、前記カーソルの位置にて示される文書データの文字修飾態様を変更可能に構成されるので、印刷装置のプレビュー表示において、現状の印字データにおける印字結果を確認した際に、印字データ作成時にユーザが想定していた文字修飾態様とは異なる印字結果がプレビュー表示されていた場合には、文書データの編集が可能な通常表示状態に戻すことなく、ユーザ所望の文字修飾態様で表現された印字結果となる印刷データに変更することができる。
【００１５】
更に、前記請求項４記載の印刷装置は、前記書式変更手段は、前記カーソルの位置が余白部分にある場合は、余白長を変更可能に構成するので、印刷装置のプレビュー表示において、現状の印字データにおける印字結果を確認した際に、印字データ作成時にユーザが想定していたレイアウトとは異なる印字結果がプレビュー表示されていた場合には、文書データの編集が可能な通常表示状態に戻すことなく、プレビュー表示にて余白長を変更することにより、ユーザ所望のレイアウトで表現された印字結果となる印刷データに変更することができる。
【００１６】
また、前記請求項５記載の印刷装置は、前記書式変更手段は、前記カーソルの位置にある文書データに枠修飾がなされている場合には、枠修飾の種類を変更可能に構成されているので、印刷装置のプレビュー表示において、現状の印字データにおける印字結果を確認した際に、印字データ作成時にユーザが想定していた枠修飾とは異なる印字結果がプレビュー表示されていた場合には、文書データの編集が可能な通常表示状態に戻すことなく、ユーザ所望の枠修飾で表現された印字結果となる印刷データに変更することができる。
【００１７】
そして、前記請求項６記載の印刷装置は、前記表示手段は、複数画面にわたって文書データを表示可能であると共に、前記操作手段の特殊操作により、前記カーソルを任意の表示位置に移動させるカーソル位置制御手段と、前記カーソルが存在する画面に表示を切り替える表示制御手段を有するので、印刷装置のプレビュー表示において、現状の印字データにおける印字結果を確認する際に、迅速に目的とする画面をプレビュー表示することができる。
【発明を実施するための最良の形態】
【００１８】
以下、本発明に係る印刷装置を、具体化した一実施形態であるテープ印字装置について、図面を参照しつつ詳細に説明する。
先ず、本実施形態に係るテープ印字装置の概略構成について図１に基づき説明する。  図１は、本実施形態に係るテープ印字装置の外観図であり、（Ａ）は概略上方外観図、（Ｂ）は概略右側方外観図である。
図１に示すように、テープ印字装置１には、文書データからなるテキストを作成するための文字入力キー２、テキストの印字を指令する印字キー３、及び、改行指令や各種処理の実行、選択を指令するリターンキー４、液晶ディスプレイ（ＬＣＤ）７上でカーソルを上下、左右に移動させるカーソルキー５、複数の機能項目と、それに対する設定内容を設定可能な機能選択モードに移行させる機能キー１３Ａ、文書データを作成するテキスト画面と、テキスト画面において作成された文書データに基づいた印字結果を表示するプレビュー画面とに液晶ディスプレイ７の表示を切り替えるプレビューキー１３Ｂ、プレビュー画面表示中において、プレビュー画面表示間を切替可能とするスクロールキー１３Ｃを備えるキーボード６、及び、後述のテープカセット２１（図２参照）を収納するカセット収納部８が収納カバー８Ａで覆われて配設されている。
また、このキーボード６の下側には、制御回路部が構成される制御基板１２が配設されている。また、カセット収納部８の左側面部には、印字されたテープが排出されるテープ排出口１６が形成されている。また、該カセット収納部８の右側面部には、電源アダプタが取り付けられるアダプタ挿入口１７、及ぶ不図示の外部機器と接続するためのＵＳＢケーブルが取り付けられるコネクタ１８が設けられている。
【００１９】
また、このカセット収納部８には、サーマルヘッド９と、このサーマルヘッド９に対向するプラテンローラ１０と、このプラテンローラ１０の下流側のテープ送り用ローラ１１と、このテープ送り用ローラ１１に対向するテープ駆動ローラ軸１４とが配置されている他に、テープカセット２１内に収納されるインクリボンを送るリボン巻取軸１５等が配置されている。
サーマルヘッド９は、正面視略縦長四角形の平板状で、前面の左端縁部には、所定個数の各発熱素子Ｒ1〜Ｒn（ｎは、本実施形態では、１２８個である。）が、該左端縁部の辺に沿って一列に配列されて形成されている。また、該サーマルヘッド９は、メッキ鋼板やステンレス鋼板等により形成される正面視略四角形の放熱板９Ａの前面の左端縁部に、各発熱素子Ｒ1〜Ｒn の配列方向が、該放熱板９Ａの左端縁部の辺に平行になるように接着剤などによって固着されている。そして、該放熱板９Ａは、各発熱素子Ｒ1〜Ｒn の配列方向が、テープカセット２１の開口部３２（図２参照）における被印字テープ３６（図２参照）の搬送方向に略直交するように、ビス止め等によってカセット収納部８の下側に取り付けられている。
【００２０】
また、リボン巻取軸１５は、ステッピングモータ等により構成されるテープ送りモータ５２（図３参照）から適宜の駆動機構を介して回転駆動される。また、テープ駆動ローラ軸１４は、テープ送りモータ５２から適宜の伝達機構を介して回転駆動され、後述するテープ駆動ローラ３３（図２参照）を回転駆動する。
【００２１】
次に、テープ印字装置１のカセット収納部８にテープカセット２１を装着した場合の概略構成について図２に基づいて説明する。図２は、テープカセット２１を装着した場合のカセット収納部８の構成図である。
テープカセット２１は透明テープ等からなる被印字テープ３６、この被印字テープ３６に印字を施すためのインクリボン３０、更には、印字がなされた被印字テープ３６に裏貼りされる両面粘着テープ３１を各々、テープスプール３６Ａ、リール３０Ａ、テープスプール３１Ａに巻回して、テープカセットの底面に立設されるカセットボス３６Ｂ、リールボス３０Ｂ、カセットボス３１Ｂに回転可能に嵌挿して収納したものであり、更に、使用済みのインクリボン３０を巻き取るインクリボン巻取リール３０Ｃを備えている。
【００２２】
そして、前記リール３０Ａに巻回され、このリール３０Ａから引き出された未使用のインクリボン３０は、被印字テープ３６と重ね合わされ、被印字テープ３６と共に開口部３２に入り、サーマルヘッド９及びプラテンローラ１０の間を通過する。その後、インクリボン３０は、被印字テープ３６から引き離され、リボン巻取軸１５により回転駆動されるインクリボン巻取リール３０Ｃに至り、このインクリボン巻取リール３０Ｃにより巻き取られる。
また、前記両面粘着テープ３１は、片面に離形紙を重ね合わされた状態で、離形紙を外側にしてテープスプール３１Ａに巻回されて収納されている。そして、このテープスプール３１Ａから引き出された両面粘着テープ３１は、テープ駆動ローラ３３とテープ送り用ローラ１１との間を通過し、離形紙が重ね合わされない側の粘着面が被印字テープ３６に貼着される。
【００２３】
これにより、前記テープスプール３６Ａに巻回され、このテープスプール３６Ａから引き出された被印字テープ３６は、テープカセット２１のサーマルヘッド９が挿入される開口部３２を通過する。その後、両面粘着テープ３１が貼り合わされる被印字テープ３６は、テープカセット２１の片側下方部（図２中、左下側部）に回転自在に設けられ、テープ送りモータ５２の駆動を受けて回転するテープ駆動ローラ３３と、このテープ駆動ローラ３３に対向配置されるテープ送り用ローラ１１との間を通過して、テープカセット２１の外部に送り出されて、テープ印字装置１のテープ排出口１６より排出される。この場合、両面粘着テープ３１は、被印字テープ３６に対してテープ駆動ローラ３３及びテープ送り用ローラ１１によって圧着される。
【００２４】
そして、サーマルヘッド９により印字されて両面粘着テープ３０が圧着された被印字テープ３６は、テープカセット２１から固定刃３５Ａと可動刃３８Ａとの間を通ってテープ排出口１６から外に延びているので、切断信号により駆動された切断用モータ５４により、揺動駆動機構を介して操作レバー３８の後端部が上下揺動され、可動刃３８Ａが固定刃３５Ａに接近して、これら両刃３５Ａ・３８Ａで被印字テープ３６が切断され、ユーザ所望の印字データが印字された印字テープを手にすることができる。
【００２５】
次に、テープ印字装置１の回路構成について図３に基づき説明する。図３は、本実施形態に係るテープ印字装置の制御系ブロック図である。
テープ印字装置１の制御基板１２上に形成される制御回路部４０は、ＣＰＵ４１、ＣＧ（キャラクタジェネレータ）ＲＯＭ４２、ＲＯＭ４３、ＥＥＰＲＯＭ４４、ＲＡＭ４５、入出力インターフェース（Ｉ／Ｆ）４６、及び通信用インターフェース（Ｉ／Ｆ）４７等を備えている。また、ＣＰＵ４１、ＣＧＲＯＭ４２、ＲＯＭ４３、ＥＥＰＲＯＭ４４、ＲＡＭ４５、入出力インターフェース（Ｉ／Ｆ）４６、及び通信用インターフェース（Ｉ／Ｆ）４７は、バス線４８により相互に接続されて、相互にデータのやり取りが行われる。
【００２６】
ここに、ＣＧＲＯＭ４２には各キャラクタに対応するドットパターンデータが記憶されており、ドットパターンデータがＣＧＲＯＭ４２から読み出され、そのドットパターンデータに基づいて液晶ディスプレイ（ＬＣＤ）７上にドットパターンが表示される。
本実施形態における液晶ディスプレイ７には、文字等のキャラクタを複数画面に渡って表示可能であるとともに、作成された文書データに基づく印字結果を表示するプレビュー表示に切り替え可能に構成されている。
また、ＲＯＭ４３は、各種のプログラムを記憶させておくものであり、後述のプレビュー表示制御プログラムや、プレビュー表示中の書式変更に関するプログラムを含むテープ印字装置１の制御上必要な各種のプログラムが記憶されている。そして、ＣＰＵ４１は、係るＲＯＭ４３に記憶されている各種のプログラムに基づいて各種の演算を行なうものである。また、ＲＯＭ４３には、多数の文字等のキャラクタそれぞれについて、各キャラクタの輪郭線を規定する輪郭線データ（アウトラインデータ）が書体（ＨＥＬＳＩＮＫＩ、ＯＫＬＡＨＯＭＡ等）毎に分類されてコードデータに対応して記憶されている。そして、アウトラインデータに基づいてドットパターンデータがプリントバッファ４５Ｂ上に展開される。
また、ＥＥＰＲＯＭ４４は、テープ印字装置１の電源をオフしても記憶内容を保持する記憶手段である。
【００２７】
また、ＲＡＭ４５は、ＣＰＵ４１により演算された各種の演算結果を一時的に記憶させておくためのものである。また、サーマルヘッド９を介して被印字テープ３６に印字する際に印字データが一時記憶される。更に、ＲＡＭ４５には、テキストメモリ４５Ａ、プリントバッファ４５Ｂ等の各種のメモリが設けられている。このテキストメモリ４５Ａには、キーボード６から入力された文書データ等の印字データとしての編集テキストが格納される。また、プリントバッファ４５Ｂには、複数の文字や記号等の印字用ドットパターンや各ドットの形成エネルギ量である印加パルス数等がドットパターンデータとして格納され、サーマルヘッド９は係るプリントバッファ４５Ｂに記憶されているドットパターンデータに従ってドット印字を行う。
【００２８】
また、入出力Ｉ／Ｆ６５には、キーボード６、カセットセンサ４９と、ガイダンス表示部と、主表示部とから構成される液晶ディスプレイ（ＬＣＤ）７に表示データを出力する為のビデオＲＡＭを有するディスプレイコントローラ（ＬＣＤＣ）５０と、サーマルヘッド９を駆動する為の駆動回路５１と、テープ送りモータ５２を駆動する為の駆動回路５３と、切断用モータ５４を駆動する為の駆動回路５５とが夫々接続されている。
また、通信用Ｉ／Ｆ４７は、例えば、ＵＳＢ（Universal Serial Bus）等から構成され、不図示の外部機器とＵＳＢケーブルによって接続され、双方向データ通信が可能になっている。
【００２９】
次に、本実施形態におけるテープ印字装置１の動作について図４乃至図９に基づき説明する。これら図４乃至図７にフローチャートで示される各プログラムは、ＲＯＭ４３に記憶されており、ＣＰＵ４１により実行される。先ず、テープ印字装置１の基本制御プログラムに関して図４を用いて説明する。図４は、テープ印字装置１の基本制御プログラムのフローチャートである。
【００３０】
テープ印字装置１に電源が投入されると、先ず、ステップ（以下、Ｓと略す）１において、ＲＡＭ４５のクリア等の各種初期設定が行われる。各種初期設定（Ｓ１）の終了後、テキスト画面表示処理に移行する。Ｓ２においては、液晶ディスプレイ７にテキスト画面を表示するテキスト画面表示処理が行われ、テープ印字装置１は、文書データの作成が可能な状態となる。テキスト画面表示処理（Ｓ２）終了後、Ｓ３へと移行する。
【００３１】
Ｓ３においては、キー入力がされたか否かについての判断がなされる。即ち、キーボード６に配設されたキーの内、何れかのキーが入力されたか否かの判断がなされる。キー入力がなされた場合（Ｓ３：ＹＥＳ）には、Ｓ４に移行する。一方、キー入力がされていないと判断された場合（Ｓ３：ＮＯ）には、何れかのキーが入力されるまで、テープ印字装置１の処理を待機する。
【００３２】
Ｓ４では、Ｓ３にて入力されたキーが文字入力キー２であるか否かについての判断がなされる。文字入力キー２の入力がなされた場合（Ｓ４：ＹＥＳ）には、文字入力処理（Ｓ５）に移行し、ユーザ所望の文書データが作成される。文字入力処理（Ｓ５）終了後には、再びＳ３に戻る。一方、文字入力キー２が入力されなかった場合（Ｓ４：ＮＯ）には、Ｓ６に移行する。
【００３３】
Ｓ６においては、プレビューキー１３Ｂが入力されたか否かについての判断がなされる。前述のように、プレビューキー１３Ｂは、文字入力処理（Ｓ６）で作成された文書データを印字した場合の印字結果を、液晶ディスプレイ７に表示するプレビュー画面に、テキスト画面から切り替えるキーである。プレビューキー１３Ｂが入力されたと判断された場合には、プレビュー機能処理（Ｓ７）に移行する。一方、プレビューキー１３Ｂが入力されなかったと判断された場合（Ｓ６：ＮＯ）には、Ｓ８に移行し、その他の処理が行われる。ここで、その他の処理（Ｓ８）では、文字入力処理（Ｓ５）で作成された文書データを印字キー３の入力に基づいて印字する印字処理等の各種処理が行われる。その他の処理（Ｓ８）終了後、Ｓ３に戻る。
【００３４】
Ｓ６において、プレビューキー１３Ｂが入力されたと判断された場合（Ｓ６：ＹＥＳ）に移行するプレビュー機能処理（Ｓ７）については、後に図面を参照して詳細に説明するので、ここでの詳細な説明は省略する。プレビュー機能処理（Ｓ７）について簡単に説明すると、文字入力処理（Ｓ６）で作成された文書データを印字した場合の印字結果を、液晶ディスプレイ７に表示する処理であり、このプレビュー機能処理（Ｓ７）は、文字入力キー２若しくは、リターンキー４を入力することにより終了する処理である。プレビュー機能処理（Ｓ７）終了後は、Ｓ９に移行する。
【００３５】
プレビュー機能処理（Ｓ７）終了後には、プレビュー機能処理が文字入力キー２の入力により終了したか否か（Ｓ９）の判断がなされる。プレビュー機能処理が文字入力キー２の入力により終了したと判断された場合（Ｓ９：ＹＥＳ）には、文字入力処理（Ｓ６）に移行し、液晶ディスプレイ７は、プレビュー画面からテキスト画面に変更され、文章データの作成、編集が可能となる。一方、プレビュー機能処理が文字入力キー２の入力により終了していない場合（Ｓ９：ＮＯ）、つまり、リターンキー４が入力に基づいてプレビュー機能処理が終了した場合には、Ｓ３に戻る。
【００３６】
次に、Ｓ７におけるプレビュー機能処理について、図５を参照しつつ詳細に説明する。
図５は、本実施形態におけるテープ印字装置１のプレビュー機能処理プログラムのフローチャートである。
【００３７】
Ｓ６において、プレビューキー１３Ｂが入力され、プレビュー機能処理に移行すると、Ｓ１０で、プレビュー画面が液晶ディスプレイ７に表示される。先ず、文書入力処理にて作成された文書データは、プリントバッファ４５Ｂ上に展開され、印字データとして扱われる。プレビュー画面の表示は、このプリントバッファ４５Ｂ上に展開された印字データに基づいて行われ、本実施形態においては、印字媒体である感熱テープへの印字データが液晶ディスプレイ７に表示される。
液晶ディスプレイ７に、プレビュー画面を表示した後、Ｓ１１に移行する。
【００３８】
ここで、プレビュー画面について、図８（ａ）を参照しつつ説明する。図８（ａ）は、プレビュー画面における表示状態とプレビュー表示可能範囲に関する説明図である。
プレビュー機能処理に入ると、Ｓ１０のプレビュー画面表示処理に基づいて、液晶ディスプレイ７に、プレビュー画面６１が表示される。プレビュー画面表示処理では、文字入力処理（Ｓ５）で作成された文書データに対応する印字結果のすべてが、プレビュー画面６１に表示可能であり、図８（ａ）では、液晶ディスプレイ７にプレビュー表示可能な範囲を、プレビュー表示可能範囲６２として示している。
そして、液晶ディスプレイ７には、プレビュー表示可能範囲６２の一部であるプレビュー画面６１が表示されると共に、カーソルキー５を左右方向に入力することにより、プレビュー画面６１上を左右に移動可能なカーソルであるビューポイント６０が表示されている。そして、プレビュー画面６１以外のプレビュー表示可能範囲６２は、現在は液晶ディスプレイ７に表示されていないが、ユーザの操作により、液晶ディスプレイ７に表示可能な非表示範囲６１ａである。
【００３９】
Ｓ１１では、キー入力がされたか否かについての判断がなされる。即ち、キーボード６に配設されたキーの内、何れかのキーが入力されたか否かの判断がなされる。キー入力がなされた場合（Ｓ１１：ＹＥＳ）には、Ｓ１２に移行する。一方、キー入力がされていないと判断された場合（Ｓ１１：ＮＯ）には、何れかのキーが入力されるまで、テープ印字装置１のプレビュー機能処理を待機する。
【００４０】
Ｓ１２では、スクロールキー１３Ｃが入力されたか否かについての判断がなされる。スクロールキー１３Ｃは、現在、液晶ディスプレイ７に表示されているプレビュー画面中に表示されているカーソル（以後、本実施形態において、テキスト画面に表示されるカーソルと区別するために、プレビュー画面に表示されるカーソルを、ビューポイントと呼ぶ）を移動可能に切り替えるキーである。スクロールキー１３Ｃが入力された場合（Ｓ１２：ＹＥＳ）には、Ｓ１３に移行する。一方、スクロールキー１３Ｃの入力がなされなかった場合（Ｓ１２：ＮＯ）には、Ｓ１４に移行する。
【００４１】
Ｓ１３においては、左右キーの入力がなされたか否かについての判断がなされる。本実施形態では、キーボード６に配設されたカーソルキー５の左右方向への入力についての判断がなされている。カーソルキー５が左右方向に入力された場合（Ｓ１３：ＹＥＳ）には、Ｓ１５に移行する。そして、カーソルキー５を左右方向に入力していない場合（Ｓ１３：ＮＯ）には、プレビュー画面位置指定移動処理（Ｓ１６）に移行する。
プレビュー画面位置指定移動処理（Ｓ１６）は、液晶ディスプレイ７にプレビュー画面が表示されている状態において、カーソルキー５の操作により、液晶ディスプレイ７に表示されているデータを１文字分スクロールする通常のスクロール処理であるプレビュー画面移動処理とは異なる移動処理である。ユーザが特殊操作を行うことにより、ユーザの指定する任意の位置をプレビュー表示するようにプレビュー画面の移動制御をおこなう。プレビュー画面位置指定移動処理（Ｓ１６）終了後、Ｓ１１に戻る。
【００４２】
一方、Ｓ１３でカーソルキー５が左右方向に入力された場合（Ｓ１３：ＹＥＳ）には、ビューポイント６０が液晶ディスプレイ７の右端又は左端にあるか否かについての判断がなされる（Ｓ１５）。具体的に説明すると、Ｓ１３にて、カーソルキー５を右方向に入力し、カーソルキー５入力時にビューポイント６０がプレビュー画面６１の右端に存在する場合（図８（ｂ）参照）と、Ｓ１３でカーソルキー５を左方向に入力し、そのカーソルキー５入力時にビューポイント６０がプレビュー画面６１の左端に存在する場合の２つの場合には、ビューポイント６０がプレビュー画面６０の右端又は左端にあると判断し（Ｓ１５：ＹＥＳ）、Ｓ１７に移行する。一方、ビューポイント６０が、プレビュー画面６１の右端又は左端にない場合（Ｓ１３：ＮＯ）には、Ｓ１９に移行する。
【００４３】
そして、Ｓ１７では、ビューポイント６０がプレビュー表示可能範囲６２における文書データの先端又は末端にあるか否かについての判断がなされる。Ｓ１７の判断について、具体的に説明すると、Ｓ１３において、カーソルキー５を右方向に入力し、カーソルキー５入力時に、ビューポイント６０がプレビュー表示可能範囲６２における文書データの末端に存在する場合と、Ｓ１３でカーソルキー５を左方向に入力し、そのカーソルキー５入力時にビューポイント６０がプレビュー表示可能範囲６２における文書データの先端に存在する場合には、ビューポイント６０がプレビュー表示可能範囲６２における文書データの先端又は末端にあると判断し（Ｓ１７：ＹＥＳ）、カーソルキー５の入力方向にプレビュー画面６１を移送することができないので、Ｓ１１に戻る。一方、ビューポイント６０がプレビュー表示可能範囲６２における文書データの先端又は末端に場合（Ｓ１７：ＮＯ）には、プレビュー画面移動処理（Ｓ１８）に移行する。
【００４４】
Ｓ１７にて、ビューポイント６０がプレビュー表示可能範囲６２における文書データの先端又は末端に存在しないと判断され、移行するプレビュー画面移動処理（Ｓ１８）は、プレビュー画面６１を、カーソルキー５の左右方への入力に基づき、文書データ１文字分移動させる処理である。
ここで、プレビュー画面移動処理について、図面を参照しつつ詳細に説明する。図８は、プレビュー画面におけるビューポイント及びプレビュー画面の移動に関する説明図である。
【００４５】
ここでは、プレビュー画面移動処理についての具体例として、図８（ｂ）、図８（ｃ）を参照して、詳細に説明する。図８（ｂ）では、１から８の数字列と、ＡからＥの英字列で構成された文書データをプレビュー表示可能状態とし、プレビュー画面６１に、１から８の数字列で構成された文書データが表示されている。そして、ビューポイント６０がプレビュー画面６１の右端である８の下部にビューポイント６０が存在している。
ここで、カーソルキー５を右方向に入力すると、ビューポイント６０が右方向に１文字分移動し、Ａの下部に移動する。それに伴い、プレビュー画面６１も移動し、プレビュー画面６１には、２から８までの数字列と、英字Ａが表示された図８（ｃ）の表示状態に変わり、プレビュー画面６１の１文字分の移動がなされる。
このように、プレビュー画面移動処理（Ｓ１８）は、プレビュー画面６１をプレビュー画面表示可能範囲６２内において、左右方向に１文字分スクロールする処理である。プレビュー画面移動処理（Ｓ１８）終了後、Ｓ１９に移行する。
【００４６】
Ｓ１９においては、ビューポイント移動処理がなされる。ビューポイント移動処理は、プレビュー画面６１において、現在のビューポイント６０の位置から、左右方向に１文字隣の位置にビューポイント６０の位置を移動する処理である。図８（ａ）、図８（ｂ）に示すように、ビューポイント６０の位置が数字７の下部にある図８（ａ）の状態において、カーソルキー５を右方向に操作すると、ビューポイント６０は、数字８の下部に移動する。
また、図８（ｃ）、図８（ｄ）に示すように、ビューポイント６０が英字Ａの下部にある状態で、カーソルキー５を左方向に入力すると、ビューポイント６０は英字Ａの下部から１文字となりの数字８の下部に移動する。
上述したように、プレビュー表示中のビューポイント６０の移動に関するビューポイント移動処理（Ｓ１９）終了後、Ｓ１１に移行する。
【００４７】
ここで、Ｓ１２において、スクロールキー１３Ｂが入力されなかった場合（Ｓ１２：ＮＯ）には、Ｓ１４にて、カーソルキー５が上下方向に入力されたか否かについての判断がなされる。カーソルキー５が上下方向に入力された場合（Ｓ１４：ＹＥＳ）には、Ｓ２０に移行し、ビューポイント書式変更処理（Ｓ２０）が行われる。
【００４８】
ビューポイント書式変更処理（Ｓ２０）については、後に図面を参照しつつ詳細に説明するので、ここでは、ビューポイント書式変更処理について簡単に説明する。
ビューポイント書式変更処理は、プレビュー画面６１において、ビューポイント６０で指定される文字の書式種類を変更する処理である。ビューポイント書式変更処理により変更可能な書式は、文字サイズ、文字スタイル、余白長及び枠修飾の４種類の書式である。そして、ビューポイント書式変更処理（Ｓ２０）終了後、Ｓ１１に戻る。
【００４９】
Ｓ１４でカーソルキー５が上下方向に入力されなかった場合（Ｓ１４：ＮＯ）には、Ｓ２１に移行し、文字入力キー２又はリターンキー４が入力されたか否かの判断がなされる。本実施形態において、文字入力キー２及びリターンキー４の入力は、プレビュー機能処理の終了命令として扱われる。また、文字入力キー２、リターンキー４のどちらが入力されたかは、前述したＳ９における判断に用いられるので、どちらのキーでプレビュー機能処理が終了したかを示すデータをＲＡＭ４５に記憶する。
文字入力キー２又はリターンキー４が入力された場合（Ｓ２１：ＹＥＳ）には、プレビュー機能処理の終了処理を開始し、液晶ディスプレイ７をプレビュー画面表示状態からテキスト画面表示に切り替える（Ｓ２２）。液晶ディスプレイ７が、テキスト画面表示状態に変更された後、プレビュー機能処理を終了する。一方、文字入力キー２又はリターンキー４が入力されなかった場合（Ｓ２１）には、Ｓ１１に戻り、プレビュー画面を液晶ディスプレイに表示し続ける。
【００５０】
次に、Ｓ２０にて行われるビューポイント書式変更処理について、図面を参照しつつ、詳細に説明する。図６は、ビューポイント書式変更処理プログラムのフローチャートである。図９は、ビューポイント書式変更処理における左右余白長及び枠修飾変更の説明図である。図１０は、ビューポイント書式変更処理における文字サイズ及び文字スタイル変更の説明図である。
【００５１】
Ｓ２０に移行し、ビューポイント書式変更処理が開始されると、先ず、ビューポイント６０の位置情報を取得する（Ｓ２３）。このビューポイント６０の位置情報は、プレビュー表示可能範囲６２におけるビューポイント６０の位置情報である。ビューポイント６０の位置情報を取得した後（Ｓ２３）、Ｓ２４に移行する。
【００５２】
Ｓ２４においては、取得したビューポイント６０の位置情報に基づいて、ビューポイント６０の位置が、文書データを印字した際の左右余白長を設定する位置か否かについての判断がなされる。本実施形態における左右余白長設定変更時のビューポイント６０の位置は、プレビュー表示可能範囲６２における文書データの先端である（図９（ａ）参照）。
ビューポイント６０が左右余白長設定位置にある場合（Ｓ２４：ＹＥＳ）には、Ｓ２６で左右余白長の設定変更が行われる。
ここで、図９（ａ）を参照しつつ、左右余白長の設定変更時における操作について説明する。先ず、図９（ａ）に示すように、カーソルキー５を操作して、ビューポイント６０を文書データの先端である数字１の左側に移動させる。ビューポイント６０が左右余白長設定位置にある状態で、カーソルキー５を上又は下方向に入力すると、左右余白長の長さが変更される。具体的には、カーソルキー５の上方向への操作を行うと、左右余白長は、より長い値に設定変更され、カーソルキー５を下方向に操作した場合には、左右余白長は、より短い値に設定変更される。ユーザ所望の左右余白長の値、即ち、ユーザ所望の印字レイアウトに変更した後、ビューポイント書式設定処理を終了する。
一方、左右余白長設定位置に、ビューポイント６０が存在しない場合（Ｓ２４：ＮＯ）には、Ｓ２５に移行する。
【００５３】
Ｓ２５では、取得したビューポイント６０の位置情報に基づいて、ビューポイント６０の位置が、文書データにおける枠修飾の種類を変更する位置か否かについての判断がなされる。本実施形態における枠修飾変更位置は、枠修飾されている部分の文書データの先端又は末端である。ビューポイント６０が枠修飾部分の先端又は末端に位置する場合（Ｓ２５：ＹＥＳ）には、枠設定の変更（Ｓ２８）がなされる。
ここで、図９（ｂ）を参照しながら、枠修飾の設定変更操作について説明する。先ず、カーソルキー５を操作して、ビューポイント６０を枠修飾がされている文書データの先端又は末端に移動させる。図９（ｂ）では、枠修飾された文書データの先端である数字５の左側に、ビューポイント６０を移動させる。ビューポイント６０が枠修飾設定変更位置にある状態で、カーソルキー５を上又は下方向に入力すると、枠修飾の種類が変更される。
具体的には、図９（ｂ）上図の状態で、カーソルキー５の上方向への操作を行うと、枠修飾は、角枠から丸枠に変更される（図９（ｂ）下図参照）。このように、カーソルキー５をうえ方向に操作することにより、複数種類の枠修飾に順次変更される。そして、カーソルキー５を下方向に操作した場合には、枠修飾は、カーソルキー５を上方向に操作した際に表示される順と逆の順番で枠修飾が変更される。図９（ｂ）下図の状態で、カーソルキー５の下方向への操作を行うと、枠修飾は、丸枠から角枠に変更される（図９（ｂ）上図参照）。ユーザ所望の枠修飾に変更した後、ビューポイント書式設定処理を終了する。
そして、ビューポイント６０が枠修飾部分の先端又は末端に位置していない場合（Ｓ１５：ＮＯ）には、Ｓ２７に移行する。
【００５４】
Ｓ２７では、ビューポイント６０にて示される文字の「文字サイズ」、「文字スタイル」の変更がなされる。ここで、文字サイズ及び文字スタイルの変更時の操作について、図面を参照して、詳細に説明する。
先ず、図１０（ａ）は、テキスト画面において、「１２３４５６７８ＡＢＣＤＥ」の文書データが作成され、現在、１から８までの数字列がプレビュー画面６１に表示されている。そして、ビューポイント６０により、数字３が選択されている状態である。
この状態でカーソルキー５を上方向に操作すると、ビューポイント６０が示す数字３の文字スタイルは、イタリックに変更された図１０（ｂ）の状態となる。
図１０（ｂ）の状態からカーソルキー５を上方向に操作すると、ビューポイント６０が示す数字３の文字スタイルは、イタリックから図１０（ｃ）に示す白抜きに変更される。一方、図１０（ｂ）の状態から、カーソルキー５を下方向に操作した場合には、数字３の文字スタイルは、イタリックから、図１０（ａ）の通常のスタイルに戻る。
そして、図１０（ｃ）の状態からカーソルキー５を上方向に操作すると、ビューポイント６０が示す数字３は、図１０（ｄ）に示すように、文字スタイルは、イタリックから通常に戻り、文字サイズが大きな設定に変更される。一方、図１０（ｃ）の状態から、カーソルキー５を下方向に操作した場合には、数字３の文字スタイルは、白抜きから、イタリックに戻る（図１０（ｂ）参照）。
更に、図１０（ｄ）の状態からカーソルキー５を上方向に操作すると、ビューポイント６０が示す数字３の文字サイズは大きな設定を維持し、文字スタイルが、イタリックに変更された図１０（ｅ）の状態となる。一方、図１０（ｄ）の状態から、カーソルキー５を下方向に操作した場合には、文字サイズが大きな設定から通常の大きさに戻り、文字スタイルは、白抜きに変更された図１０（ｃ）の状態となる。そして、図１０（ｅ）の状態で、カーソルキー５を下方向に操作すると、文字サイズは大きな設定のまま、文字スタイルがイタリックから通常のスタイルに変更される。
このように、カーソルキー５を上下方向に操作することにより、ビューポイント６０の示す文字の文字サイズ、文字スタイルの種類を、プレビュー表示中にユーザ所望のものに変更することができる。
ビューポイント６０にて示される文字の「文字サイズ」、「文字スタイル」の変更処理（Ｓ２７）終了後、ビューポイント書式変更処理を終了する。
【００５５】
次に、Ｓ１６で行われるプレビュー画面位置指定移動処理について、図面を参照しつつ、詳細に説明する。図７は、プレビュー画面位置指定移動処理プログラムのフローチャートである。
プレビュー画面位置指定移動処理は、カーソルキー５の操作により、液晶ディスプレイ７に表示されているデータを１文字分スクロールする通常のプレビュー画面移動処理（Ｓ１８）とは異なる移動処理であり、ユーザが機能キー１３Ａと文字入力キー２の同時入力を行うことにより、ユーザの指定する任意の位置をプレビュー表示するようにプレビュー画面の移動制御をおこなう処理である。
本実施形態におけるテープ印字装置１の文字入力キー２には、０〜９までの数字を入力する数字キーと、Ａ〜Ｚまでの英字を入力する英字キーを有して構成されており、プレビュー画面位置指定移動処理において、機能キー１３Ａと数字キーの同時入力、機能キー１３Ａと英字キーの同時入力の２種類の方法でのプレビュー画面６１の位置指定移動が可能である。
【００５６】
プレビュー画面位置指定移動処理が開始されると、先ず、Ｓ２９にて、機能キー１３Ａと数字キーが同時入力されたか否かの判断がなされる。機能キー１３Ａと数字キーの同時入力がなされた場合（Ｓ２９：ＹＥＳ）には、プレビュー画面６１の位置指定移動処理は、数字キーにより指定される位置移動方法で行われる事となり、Ｓ３０に移行する。一方、機能キー１３Ａと数字キーの同時入力がなさなかった場合（Ｓ２９：ＮＯ）には、プレビュー画面６１の位置指定移動処理は、英字キーにより指定される位置移動方法で行われるので、Ｓ３１に移行する。
【００５７】
Ｓ２９において、機能キー１３Ａと数字キーの同時入力がなされ、Ｓ３０に移行すると、テキスト全体長を１０分割し、１０分割して算出される位置を文書データの先頭から１〜９、０の数字キーと関連付けて、位置情報としてＲＡＭ４５に記憶する。数字キーに対応する位置を決定し、位置情報としてＲＡＭ４５に記憶した後、Ｓ３２に移行する。
【００５８】
Ｓ３２では、Ｓ２９で入力された数字キーに対応する位置にプレビュー画面６１を移動する処理が行われる。ここで、図１１を参照しつつ、機能キー１３Ａと数字キーの同時入力に基づくプレビュー画面６１の移動例について、説明する。
図１１においては、テキスト画面において、英字Ａ〜Ｘまでをアルファベット順に並べた文書データが作成され、この文書データをプレビュー表示した状態を示すのが図１１（ａ）である。
そして、この図１１（ａ）に示す状態で、プレビュー画面位置指定移動処理に入り、機能キー１３Ａと、数字キー「４」を入力すると、ＲＡＭ４５に記憶された位置情報を読み出し、文書データの全体長を１０分割したもののうち、文書データの先頭から４分割目に当たる部分が表示される（図１１（ｂ）参照）。
また、図１１（ａ）または、図１１（ｂ）の状態において、機能キー１３Ａと数字キー「７」を入力すると、ＲＡＭ４５に記憶された位置情報を読み出し、文書データの全体長を１０分割したもののうち、文書データの先頭から７分割目に当たる部分が表示される（図１１（ｃ）参照）。更に、また、図１１（ｂ）または、図１１（ｃ）の状態において、機能キー１３Ａと数字キー「１」を入力すると、ＲＡＭ４５に記憶された位置情報を読み出し、文書データの全体長を１０分割したもののうち、文書データの先頭の分割に当たる部分が表示される（図１１（ａ）参照）。
このように、機能キー１３Ａと同時入力された数字キーに対応したプレビュー画面６１の移動処理は行われ、プレビュー画面６１を移動し、ユーザ所望のプレビュー画面が表示されると（Ｓ３２）、プレビュー画面位置指定移動処理を終了する。
【００５９】
一方、Ｓ２９にて、機能キー１３Ａと数字キーの同時入力がなさなかった場合（Ｓ２９：ＮＯ）に移行するＳ３１において、プレビュー画面６１の位置指定移動処理は、英字キーにより指定される位置移動方法で行われるので、テキスト全体長を、英字２６文字に対応させるために２６分割し、２６分割して算出される位置を、文書データの先頭からＡ〜Ｚの英字キーと関連付けて、ＲＡＭ４５に位置情報として記憶する。英字キーに対応する位置を決定し、位置情報としてＲＡＭ４５に記憶した後、Ｓ３４に移行する。
【００６０】
Ｓ３４では、Ｓ２９で入力された英字キーに対応する位置にプレビュー画面６１を移動する処理が行われる。ここで、図１１を参照しつつ、機能キー１３Ａと英字キーの同時入力に基づくプレビュー画面６１の移動例について、説明する。
図１１においては、テキスト画面において、英字Ａ〜Ｘまでをアルファベット順に並べた文書データが作成され、この文書データをプレビュー表示した状態を示すのが図１１（ａ）である。
そして、この図１１（ａ）に示す状態で、プレビュー画面位置指定移動処理に入り、機能キー１３Ａと、英字キー「Ｉ」を入力すると、ＲＡＭ４５に記憶された位置情報を読み出し、文書データの全体長を２６分割したもののうち、文書データの先頭から９分割目に当たる部分が表示される（図１１（ｂ）参照）。
また、図１１（ａ）または、図１１（ｂ）の状態において、機能キー１３Ａと英字キー「Ｑ」を入力すると、ＲＡＭ４５に記憶された位置情報を読み出し、文書データの全体長を２６分割したもののうち、文書データの先頭から１７分割目に当たる部分が表示される（図１１（ｃ）参照）。更に、また、図１１（ｂ）または、図１１（ｃ）の状態において、機能キー１３Ａと英字キー「Ａ」を入力すると、ＲＡＭ４５に記憶された位置情報を読み出し、文書データの全体長を２６分割したもののうち、文書データの先頭の分割に当たる部分が表示される（図１１（ａ）参照）。
このように、機能キー１３Ａと同時入力された英字キーに対応したプレビュー画面６１の移動処理は行われ、プレビュー画面６１を移動し、ユーザ所望のプレビュー画面が表示されると（Ｓ３４）、プレビュー画面位置指定移動処理を終了する。
【００６１】
以上説明したように、本実施形態にかかるテープ印字装置１は、液晶ディスプレイ７にプレビュー画面６１を表示している際に、ビューポイント６０で指定される文字の書体を変更することができるので、プレビュー画面６１にて、作成した文書データの印字結果がユーザ所望の印字結果と異なることが確認された場合に、煩雑な操作を行わずとも、ユーザ所望の印字結果に変更することができる。
【００６２】
更に、プレビュー画面において確認された印字結果において、誤字等の文書データそのものを修正する必要がある場合に、文字入力キー２を入力することで、文書データの作成編集が可能なテキスト画面に移行することができる。これにより、文書データの編集に移行する際に、煩雑な操作を行う必要がなくなり、迅速に文書データの編集を行うことができる。
【００６３】
また、本実施形態に係るテープ印字装置１は、プレビュー画面６１を液晶ディスプレイ７に表示している際に、機能キー１３Ａと数字キーを同時入力することにより、ユーザ所望の範囲をプレビュー画面６１に表示することができる。これにより、迅速に印字結果を確認することができ、書式の変更を行う際にも、簡単な操作で迅速に書式の変更ができる。更に、機能キー１３Ａと英字キーの同時入力によっても、ユーザ所望の範囲をプレビュー画面６１に表示させることができる。英字キーは、数字キーよりもキーの数が多いため、ユーザ所望の範囲を、より細かに設定することができる。
【００６４】
尚、本発明は前記実施形態の記載に限定されるものではなく、本発明の要旨を逸脱しない範囲内で種々の改良、変形が可能であることは勿論である。
例えば、本実施形態においては、プレビュー画面６１において、ビューポイント６０の示す文字１文字対して、文字サイズ、文字スタイルを変更可能としたが、文書データ全体の文字サイズ、文字スタイルを変更可能としてもよい。
【００６５】
また、本実施形態において、プレビュー画面位置指定処理は、文書データの全体長を、数字キーの数１０又は英字キーの数２６で分割し、夫々のキーに対応する位置にプレビュー画面６１の表示範囲を移動するようにするように構成したが、文書データの全体長を、プレビュー画面６１の表示範囲で分割しても良い。
更に、プレビュー画面位置指定処理は、機能キーと、数字キー又は英字キーの組み合わせに限定するものでは無く、数字キーと英字キーをあわせた文字入力キーと、機能キーと組み合わせても良いし、機能キー以外のキーと組み合わせたとしても何等の支障をきたすものではない。
【図面の簡単な説明】
【００６６】
【図１】本実施形態に係るテープ印字装置の外観図である。図１（Ａ）は概略上方外観図、図１（Ｂ）は概略右側方外観図である。
【図２】本実施形態に係るテープ印字装置のカセット収納部にテープカセットを装着した場合の概略構成を示す平面図である。
【図３】本実施形態に係るテープ印字装置のブロック図である。
【図４】本実施形態に係るテープ印字装置の基本制御プログラムのフローチャートである。
【図５】本実施形態に係るテープ印字装置のプレビュー機能処理プログラムのフローチャートである。
【図６】本実施形態に係るテープ印字装置のビューポイント書式変更処理プログラムのフローチャートである。
【図７】本実施形態に係るテープ印字装置のプレビュー画面位置指定移動処理プログラムのフローチャートである。
【図８】本実施形態に係るテープ印字装置のプレビュー画面における移動処理に関する説明図である。
【図９】本実施形態に係るテープ印字装置のプレビュー画面における左右余白長及び枠修飾の変更に関する説明図である。
【図１０】本実施形態に係るテープ印字装置のプレビュー画面における文字サイズ及び文字スタイルの変更に関する説明図である。
【図１１】本実施形態に係るテープ印字装置のプレビュー画面におけるプレビュー画面位置指定移動処理に関する説明図である。
【符号の説明】
【００６７】
１                  テープ印字装置
２                  文字入力キー
４                  リターンキー
５                  カーソルキー
７                  液晶ディスプレイ
９                  サーマルヘッド
１０                プラテンローラ
１３Ａ              機能キー
１３Ｂ              プレビューキー
１３Ｃ              スクロールキー
４１                ＣＰＵ
４３                ＲＯＭ
４４                ＥＥＰＲＯＭ
４５                ＲＡＭ
５２                テープ送りモータ
６０                ビューポイント
６１                プレビュー画面
６２                プレビュー表示可能範囲
【図１】
2005271541.tif 000003
【図２】
2005271541.tif 000004
【図３】
2005271541.tif 000005
【図４】
2005271541.tif 000006
【図５】
2005271541.tif 000007
【図６】
2005271541.tif 000008
【図７】
2005271541.tif 000009
【図８】
2005271541.tif 000010
【図９】
2005271541.tif 000011
【図１０】
2005271541.tif 000012
【図１１】
2005271541.tif 000013